(57)【要約】【課題】試聴データを簡便に取得する。【解決手段】ユーザ端末１２は、曲名のリストと音楽サーバ１５のアドレスとを含むリスト情報をリスト元端末１１から取得すると（Ｓ２０）、リスト情報に含まれるアドレスが示す音楽サーバ１５に対し、リスト情報に含まれるリストの曲名に対応する試聴データを、要求して（Ｓ２１）取得する（Ｓ２２）。【選択図】図１
2010165287.tif 000002
【特許請求の範囲】
【請求項１】
情報の送受信を行う通信部を備える通信装置であって、
実際のコンテンツである実コンテンツ、または、該実コンテンツの一部を取り出したコンテンツである見本コンテンツを識別するコンテンツ識別情報のリストと、上記見本コンテンツを提供するサーバのアドレスとを含むリスト情報を取得するリスト取得手段と、
該リスト取得手段が取得したリスト情報に含まれるアドレスが示すサーバに対し、上記リスト情報に含まれるリストのコンテンツ識別情報に対応する見本コンテンツを、上記通信部を介して要求して取得するコンテンツ要求手段とを備えることを特徴とする通信装置。
【請求項２】
上記リスト取得手段は、他の通信装置から上記通信部を介して上記リスト情報を取得することを特徴とする請求項１に記載の通信装置。
【請求項３】
上記リスト取得手段は、
上記リスト情報におけるリストの属性を示す属性情報を、上記他の通信装置から上記通信部を介して取得する属性取得手段と、
該属性取得手段が取得した属性情報に基づいて、上記リスト情報を取得するか否かを判断する取得判断手段と、
該取得判断手段が取得すると判断した上記リスト情報を上記他の通信装置に上記通信部を介して要求して取得するリスト要求手段とを備えることを特徴とする請求項２に記載の通信装置。
【請求項４】
上記リスト情報を作成するリスト作成手段をさらに備えており、
上記リスト取得手段は、上記リスト作成手段が作成したリスト情報を取得しており、
上記リスト取得手段が取得したリスト情報と、上記コンテンツ要求手段が取得した見本コンテンツとを、上記通信部を介して他の通信装置に送出するリスト送出手段をさらに備えることを特徴とする請求項１に記載の通信装置。
【請求項５】
上記リスト情報におけるリストの属性を示す属性情報を取得する属性取得手段をさらに備えており、
上記リスト送出手段は、
上記属性情報を、上記通信部を介して上記他の通信装置に送出する属性送出手段と、
上記他の通信装置から上記通信部を介して上記リスト情報の要求を取得すると、上記リスト情報と上記見本コンテンツとを、上記通信部を介して他の通信装置に送出することにより、取得した要求に応答する要求応答手段とを備えることを特徴とする請求項４に記載の通信装置。
【請求項６】
上記リスト取得手段は、他の通信装置から上記通信部を介して上記リスト情報を取得しており、
上記リスト取得手段が取得したリスト情報と、上記コンテンツ要求手段が取得した見本コンテンツとを、上記通信部を介してさらに他の通信装置に送出するリスト送出手段をさらに備えることを特徴とする請求項１に記載の通信装置。
【請求項７】
上記実コンテンツおよび上記見本コンテンツを再生する再生部をさらに備えることを特徴とする請求項１から６までの何れか１項に記載の通信装置。
【請求項８】
通信装置と通信ネットワークを介して接続する通信部を備え、実際のコンテンツである実コンテンツの一部を取り出したコンテンツである見本コンテンツを上記通信装置に提供するサーバであって、
上記見本コンテンツを記憶する記憶部と、
上記実コンテンツまたは上記見本コンテンツを識別するコンテンツ識別情報のリストを含むリスト情報を、上記通信装置から上記通信ネットワークおよび上記通信部を介して取得するリスト取得手段と、
該リスト取得手段が取得したリスト情報に含まれるコンテンツ識別情報に対応する見本コンテンツを上記記憶部から取得する見本取得手段と、
該見本取得手段が取得した見本コンテンツを、上記通信部および上記通信ネットワークを介して送出する見本送出手段とを備えており、
上記見本取得手段が取得した見本コンテンツの属性を示す属性情報を取得し、取得した見本コンテンツの属性情報に基づいて、上記リスト情報におけるリストの属性情報を作成するリスト属性作成手段をさらに備えており、
上記見本送出手段は、上記見本取得手段が取得した見本コンテンツを、上記リスト属性作成手段が作成したリストの属性情報と共に送出することを特徴とするサーバ。
【請求項９】
請求項１から７の何れか１項に記載の通信装置を動作させる通信装置制御プログラムであって、コンピュータを上記の各手段として機能させるための通信装置制御プログラム。
【請求項１０】
請求項８に記載のサーバを動作させるサーバ制御プログラムであって、コンピュータを上記の各手段として機能させるためのサーバ制御プログラム。
【請求項１１】
請求項９に記載の通信装置制御プログラムと、請求項１０に記載のサーバ制御プログラムとの少なくとも一方を記録したコンピュータ読み取り可能な記録媒体。
【請求項１２】
情報の送受信を行う通信部を備える通信装置の制御方法であって、
実際のコンテンツである実コンテンツ、または、該実コンテンツの一部を取り出したコンテンツである見本コンテンツを識別するコンテンツ識別情報のリストと、上記見本コンテンツを提供するサーバのアドレスとを含むリスト情報を取得するリスト取得ステップと、
該リスト取得ステップにて取得されたリスト情報に含まれるアドレスが示すサーバに対し、上記リスト情報に含まれるリストのコンテンツ識別情報に対応する見本コンテンツを、上記通信部を介して要求して取得するコンテンツ要求ステップとを含むことを特徴とする通信装置の制御方法。
【請求項１３】
通信装置と通信ネットワークを介して接続する通信部を備え、実際のコンテンツである実コンテンツの一部を取り出したコンテンツである見本コンテンツを上記通信装置に提供するサーバの制御方法であって、
上記実コンテンツまたは上記見本コンテンツを識別するコンテンツ識別情報のリストを含むリスト情報を、上記通信装置から上記通信ネットワークおよび上記通信部を介して取得するリスト取得ステップと、
上記見本コンテンツを記憶する記憶部から、上記リスト取得ステップにて取得されたリスト情報に含まれるコンテンツ識別情報に対応する見本コンテンツを取得する見本取得ステップと、
該見本取得ステップにて取得された見本コンテンツを、上記通信部および上記通信ネットワークを介して上記通信装置に送出する見本送出ステップとを含んでおり、
上記見本取得ステップにて取得された見本コンテンツの属性を示す属性情報を取得し、取得した見本コンテンツの属性情報に基づいて、上記リスト情報におけるリストの属性情報を作成するリスト属性作成ステップをさらに含んでおり、
上記見本送出ステップは、上記見本取得ステップにて取得された見本コンテンツを、上記リスト属性作成ステップにて作成されたリストの属性情報と共に送出することを特徴とするサーバの制御方法。
【発明の詳細な説明】
【技術分野】
【０００１】
本発明は、サーバから通信ネットワークを介してコンテンツを受信できる通信装置、その制御方法および制御プログラム、サーバ、その制御方法および制御プログラム、並びに該プログラムを記録した記録媒体に関する。具体的には、本発明は、音楽サイトから通信ネットワークを介して音楽コンテンツを受信できる通信装置などに関する。
【背景技術】
【０００２】
現在、多数の音楽サイトが、携帯電話機などの通信装置に音楽コンテンツを有料または無料で配信している。上記通信装置のユーザに上記音楽コンテンツを提供する方法としては、種々のものが知られている。
【０００３】
例えば、特許文献１では、クライアントは、楽曲を再生可能に記録したデータである提供用コンテンツと、該楽曲の一部を再生可能に記録したデータである試用コンテンツとを、ユーザからの指示に基づき、通信ネットワークを介してサーバに要求して受信している。この方法によると、ユーザ側で上記試用コンテンツを取得して試聴等を容易に行うことができるので、試用コンテンツの試用による提供用コンテンツの取得動機づけと内容確認とを実現できる。
【０００４】
また、特許文献２では、２つの携帯電話機間で楽曲リストの交換を行った後、一方の携帯電話機が、コンテンツサーバに対し、該楽曲リスト掲載の楽曲の購入の手続きを行うと、コンテンツサーバは、購入手続きが行われた楽曲リストに含まれる楽曲を検索し、配信用コンテンツを作成する。そして、コンテンツサーバは、作成された配信用コンテンツを上記一方の携帯電話機に配信する。これにより、コンテンツサーバは、上記楽曲リストに列記された楽曲の一括配信を行うことができる。
【先行技術文献】
【特許文献】
【０００５】
【特許文献１】特開２００２−０９１４５７（２００２年０３月２７日公開）
【特許文献２】特開２００６−３３２９９６（２００６年１２月０７日公開）
【発明の概要】
【発明が解決しようとする課題】
【０００６】
しかしながら、特許文献１の場合、ユーザは、所望する試用コンテンツごとに、該試用コンテンツを選択し、選択された試用コンテンツを上記サーバに要求して取得する必要があり、上記ユーザに煩雑な処理を要求することになる。特に、上記ユーザが所望する試用コンテンツの数が多くなるにつれて、この問題点が顕著となる。
【０００７】
また、特許文献２の場合、上記携帯電話機は、上記楽曲リスト掲載の楽曲を上記コンテンツサーバから一括して受信することができるが、上記楽曲の購入手続きを行う必要があり、上記ユーザに煩雑な処理を要求することになる。
【０００８】
本発明は、上記の問題点に鑑みてなされたものであり、その目的は、上記試用コンテンツ等の見本コンテンツを簡便に取得する通信装置などを実現することにある。
【課題を解決するための手段】
【０００９】
本発明に係る通信装置は、情報の送受信を行う通信部を備える通信装置であって、上記課題を解決するため、実際のコンテンツである実コンテンツ、または、該実コンテンツの一部を取り出したコンテンツである見本コンテンツを識別するコンテンツ識別情報のリストと、上記見本コンテンツを提供するサーバのアドレスとを含むリスト情報を取得するリスト取得手段と、該リスト取得手段が取得したリスト情報に含まれるアドレスが示すサーバに対し、上記リスト情報に含まれるリストのコンテンツ識別情報に対応する見本コンテンツを、上記通信部を介して要求して取得するコンテンツ要求手段とを備えることを特徴としている。
【００１０】
また、本発明に係る通信装置の制御方法は、情報の送受信を行う通信部を備える通信装置の制御方法であって、上記課題を解決するため、実際のコンテンツである実コンテンツ、または、該実コンテンツの一部を取り出したコンテンツである見本コンテンツを識別するコンテンツ識別情報のリストと、上記見本コンテンツを提供するサーバのアドレスとを含むリスト情報を取得するリスト取得ステップと、該リスト取得ステップにて取得されたリスト情報に含まれるアドレスが示すサーバに対し、上記リスト情報に含まれるリストのコンテンツ識別情報に対応する見本コンテンツを、上記通信部を介して要求して取得するコンテンツ要求ステップとを含むことを特徴としている。
【００１１】
上記の構成および方法によると、コンテンツ識別情報のリストと、見本コンテンツを提供するサーバのアドレスとを含むリスト情報を取得すると、取得されたリスト情報に含まれるアドレスが示すサーバに対し、上記リスト情報に含まれるリストのコンテンツ識別情報に対応する見本コンテンツを要求して取得する。これにより、ユーザが指示すること無く、上記見本コンテンツを上記サーバから自動的に取得できるので、上記見本コンテンツを簡便に取得できる。その結果、ユーザの利便性が向上する。
【００１２】
なお、上記見本コンテンツを１台のサーバが提供してもよいし、複数台のサーバが提供してもよい。後者の場合、上記リスト情報は、上記リストのコンテンツ識別情報ごとに上記サーバのアドレスを含んでもよい。
【００１３】
また、上記見本コンテンツを提供するサーバは、上記実コンテンツを提供するサーバと同じでもよいし、相違してもよい。後者の場合、上記リスト情報は、上記実コンテンツを提供するサーバのアドレスを含んでもよい。
【００１４】
本発明に係る通信装置では、上記リスト取得手段は、他の通信装置から上記通信部を介して上記リスト情報を取得してもよい。この場合、上記リスト情報を作成する必要が無いので、上記見本コンテンツをさらに簡便に取得できる。その結果、ユーザの利便性がさらに向上する。
【００１５】
さらに、本発明に係る通信装置では、上記リスト取得手段は、上記リスト情報におけるリストの属性を示す属性情報を、上記他の通信装置から上記通信部を介して取得する属性取得手段と、該属性取得手段が取得した属性情報に基づいて、上記リスト情報を取得するか否かを判断する取得判断手段と、該取得判断手段が取得すると判断した上記リスト情報を上記他の通信装置に上記通信部を介して要求して取得するリスト要求手段とを備えてもよい。
【００１６】
この場合、不要なリスト情報を取得せずに済み、該リスト情報に対応する見本コンテンツを取得せずに済むので、通信装置およびサーバにおける処理負担を軽減することができる。なお、上記属性情報の例としては、リストの作成年月日、リストに含まれるコンテンツ識別情報の数、該コンテンツ識別情報に対応する実コンテンツまたは見本コンテンツのジャンルの構成比などが挙げられる。
【００１７】
一方、本発明に係る通信装置では、上記リスト情報を作成するリスト作成手段をさらに備えており、上記リスト取得手段は、上記リスト作成手段が作成したリスト情報を取得しており、上記リスト取得手段が取得したリスト情報と、上記コンテンツ要求手段が取得した見本コンテンツとを、上記通信部を介して他の通信装置に送出するリスト送出手段をさらに備えてもよい。この場合、上記リスト情報は、対応する見本コンテンツと共に他の通信装置に提供されるので、該他の通信装置は、上記見本コンテンツが直ちに利用可能となる。
【００１８】
さらに、本発明に係る通信装置では、上記リスト情報におけるリストの属性を示す属性情報を取得する属性取得手段をさらに備えており、上記リスト送出手段は、上記属性情報を、上記通信部を介して上記他の通信装置に送出する属性送出手段と、上記他の通信装置から上記通信部を介して上記リスト情報の要求を取得すると、上記リスト情報と上記見本コンテンツとを、上記通信部を介して他の通信装置に送出することにより、取得した要求に応答する要求応答手段とを備えてもよい。
【００１９】
この場合、他の通信装置が不要なリスト情報および見本コンテンツを提供しなくて済むので、処理負担を軽減することができる。なお、上記属性取得手段は、上記リスト情報から属性情報を自動的に取得してもよいし、ユーザがユーザインタフェースを介して作成することにより取得してもよいし、上記サーバから上記見本コンテンツと共に取得してもよい。
【００２０】
本発明に係る通信装置では、上記リスト取得手段は、他の通信装置から上記通信部を介して上記リスト情報を取得しており、上記リスト取得手段が取得したリスト情報と、上記コンテンツ要求手段が取得した見本コンテンツとを、上記通信部を介してさらに他の通信装置に送出するリスト送出手段をさらに備えてもよい。
【００２１】
この場合、他の通信装置から受け取ったリスト情報を、該リスト情報に対応する見本コンテンツと共に、さらに他の通信装置に提供することができる。このとき、上記他の通信装置と上記さらに他の通信装置とが通信可能である必要は無い。また、上記さらに他の通信装置は、上記見本コンテンツが直ちに利用可能となる。従って、上記他の通信装置のユーザと、上記さらに他の通信装置のユーザとの利便性が向上する。
【００２２】
本発明に係る通信装置では、上記実コンテンツおよび上記見本コンテンツを再生する再生部をさらに備えることが好ましい。この場合、再生されたコンテンツをユーザが知得することができる。
【００２３】
本発明に係るサーバは、通信装置と通信ネットワークを介して接続する通信部を備え、実際のコンテンツである実コンテンツの一部を取り出したコンテンツである見本コンテンツを上記通信装置に提供するサーバであって、上記課題を解決するため、上記見本コンテンツを記憶する記憶部と、上記実コンテンツまたは上記見本コンテンツを識別するコンテンツ識別情報のリストを含むリスト情報を、上記通信装置から上記通信ネットワークおよび上記通信部を介して取得するリスト取得手段と、該リスト取得手段が取得したリスト情報に含まれるコンテンツ識別情報に対応する見本コンテンツを上記記憶部から取得する見本取得手段と、該見本取得手段が取得した見本コンテンツを、上記通信部および上記通信ネットワークを介して送出する見本送出手段とを備えており、上記見本取得手段が取得した見本コンテンツの属性を示す属性情報を取得し、取得した見本コンテンツの属性情報に基づいて、上記リスト情報におけるリストの属性情報を作成するリスト属性作成手段をさらに備えており、上記見本送出手段は、上記見本取得手段が取得した見本コンテンツを、上記リスト属性作成手段が作成したリストの属性情報と共に送出することを特徴としている。
【００２４】
また、本発明に係るサーバの制御方法は、通信装置と通信ネットワークを介して接続する通信部を備え、実際のコンテンツである実コンテンツの一部を取り出したコンテンツである見本コンテンツを上記通信装置に提供するサーバの制御方法であって、上記課題を解決するため、上記実コンテンツまたは上記見本コンテンツを識別するコンテンツ識別情報のリストを含むリスト情報を、上記通信装置から上記通信ネットワークおよび上記通信部を介して取得するリスト取得ステップと、上記見本コンテンツを記憶する記憶部から、上記リスト取得ステップにて取得されたリスト情報に含まれるコンテンツ識別情報に対応する見本コンテンツを取得する見本取得ステップと、該見本取得ステップにて取得された見本コンテンツを、上記通信部および上記通信ネットワークを介して上記通信装置に送出する見本送出ステップとを含んでおり、上記見本取得ステップにて取得された見本コンテンツの属性を示す属性情報を取得し、取得した見本コンテンツの属性情報に基づいて、上記リスト情報におけるリストの属性情報を作成するリスト属性作成ステップをさらに含んでおり、上記見本送出ステップは、上記見本取得ステップにて取得された見本コンテンツを、上記リスト属性作成ステップにて作成されたリストの属性情報と共に送出することを特徴としている。
【００２５】
上記の構成および方法によると、通信装置からリスト情報を取得すると、取得されたリスト情報に含まれるコンテンツ識別情報に対応する見本コンテンツを記憶部から取得する。次に、取得された見本コンテンツの属性情報を取得し、取得された見本コンテンツの属性情報に基づいて、上記リスト情報におけるリストの属性情報を作成する。そして、取得された見本コンテンツと、作成されたリストの属性情報とを上記通信装置に送出する。
【００２６】
従って、上記リスト情報におけるリストの属性情報を、上記通信装置のそれぞれが作成するのでは無く、上記サーバが作成するので、例えば同じリストであれば同じ属性情報となり、属性情報の汎用性が向上する。なお、見本コンテンツの属性情報は、記憶部に予め記憶された属性情報を読み出すことにより取得してもよいし、上記見本コンテンツを分析することにより取得してもよい。
【００２７】
なお、上記通信装置における各手段を、通信装置制御プログラムによりコンピュータ上で実行させることができる。また、上記サーバにおける各手段を、サーバ制御プログラムによりコンピュータ上で実行させることができる。さらに、上記通信装置制御プログラムおよび／または上記サーバ制御プログラムを、コンピュータ読取り可能な記録媒体に記憶させることにより、任意のコンピュータ上で上記通信装置制御プログラムおよび／または上記サーバ制御プログラムを実行させることができる。
【発明の効果】
【００２８】
本発明に係る通信装置は、以上のように、コンテンツ識別情報のリストと、見本コンテンツを提供するサーバのアドレスとを含むリスト情報を取得すると、取得されたリスト情報に含まれるアドレスが示すサーバに対し、上記リスト情報に含まれるリストのコンテンツ識別情報に対応する見本コンテンツを要求して取得することにより、ユーザが指示すること無く、上記見本コンテンツを上記サーバから自動的に取得できるので、上記見本コンテンツを簡便に取得でき、その結果、ユーザの利便性が向上するという効果を奏する。
【００２９】
また、本発明に係るサーバは、以上のように、通信装置からリスト情報を取得すると、取得されたリスト情報に対応する見本コンテンツを記憶部から取得し、取得された見本コンテンツの属性情報に基づいて、上記リスト情報におけるリストの属性情報を作成するので、例えば同じリストであれば同じ属性情報となり、属性情報の汎用性が向上するという効果を奏する。
【図面の簡単な説明】
【００３０】
【図１】本発明の一実施形態である音楽配信システムにおける、試聴データに関する処理の流れを示すフローチャートである。
【図２】上記音楽配信システムの概略構成を示すブロック図である。
【図３】上記音楽配信システムにおけるリスト元端末およびユーザ端末の概略構成を示すブロック図である。
【図４】上記リスト元端末の制御部および記憶部の概略構成を示すブロック図である。
【図５】上記リスト元端末が作成するリスト情報の一例を表形式で示す図である。
【図６】上記ユーザ端末の制御部および記憶部の概略構成を示すブロック図である。
【図７】上記音楽配信システムにおける音楽サーバの概略構成を示すブロック図である。
【図８】上記音楽配信システムにおける、楽曲データに関する処理の流れを示すフローチャートである。
【図９】上記リスト元端末の表示部に表示される画面の一例を示す図である。
【図１０】上記ユーザ端末の表示部に表示される画面の一例を示す図である。
【図１１】上記リスト元端末および上記ユーザ端末の両方の機能を有する通信端末において表示される選択画面の一例を示す図である。
【図１２】本発明の別の実施形態に係る音楽配信システムにおけるリスト元端末の概略構成を示すブロック図である。
【図１３】上記音楽配信システムにおける、試聴データに関する処理の流れを示すフローチャートである。
【図１４】本発明のさらに別の実施形態に係る音楽配信システムにおける基地局の概略構成を示すブロック図である。
【図１５】上記音楽配信システムにおける、試聴データに関する処理の流れを示すフローチャートである。
【図１６】本発明のさらに別の実施形態に係る音楽配信システムにおける、試聴データに関する処理の流れを示すフローチャートである。
【図１７】本発明の他の実施形態に係る音楽配信システムにおける、試聴データに関する処理の流れを示すフローチャートである。
【発明を実施するための形態】
【００３１】
〔実施の形態１〕
本発明の一実施形態について図１〜図１０を参照して説明する。図２は、本実施形態である音楽配信システムの概略構成を示している。図示のように、音楽配信システム１０は、リスト元端末（通信装置）１１がユーザ端末（通信装置）１２に通信可能に接続され、ユーザ端末１２が基地局１３および通信ネットワーク１４を介して音楽サーバ（サーバ）１５に通信可能に接続された構成である。
【００３２】
リスト元端末１１およびユーザ端末１２は、その利用者が所持して移動できるように、携帯型ＰＣ（Personal Computer）、携帯電話機、ＰＨＳ（Personal Handyphone System）（登録商標）端末、携帯型ゲーム機などの携帯型通信装置であることが望ましい。
【００３３】
また、リスト元端末１１の利用者が所持して移動してもユーザ端末１２と通信できるように、リスト元端末１１とユーザ端末１２との間の通信は、赤外線、電波などを利用した無線（wireless）通信であることが望ましい。このような無線通信に利用される通信規格としては、ＩｒＤＡ、ＩＥＥＥ８０２．１１、Ｂｌｕｅｔｏｏｔｈ（登録商標）などが挙げられる。
【００３４】
また、ユーザ端末１２の利用者が所持して移動しても基地局１３と通信できるように、ユーザ端末１２と基地局１３との間の通信は、電波などを利用した無線通信であることが望ましい。このような無線通信に利用される通信規格としては、ＩＥＥＥ８０２．１１、Ｂｌｕｅｔｏｏｔｈ（登録商標）、携帯電話システムの各種規格などが挙げられる。
【００３５】
基地局（アクセスポイント）１３は、ユーザ端末１２を通信ネットワーク１４に通信可能に接続するためのものである。上述のように、ユーザ端末１２と基地局１３との間の通信はワイヤレス通信であることが望ましい。また、基地局１３と通信ネットワーク１４との間の通信は、有線通信であることが望ましい。
【００３６】
通信ネットワーク１４には、インターネット、ＬＡＮ（Local Area Network）など、公知の通信ネットワークを利用することができる。また、通信ネットワーク１４に利用される通信回線には、公衆通信回線、専用線、ＩＳＤＮ（Integrated Services Digital Network）など、公知の通信回線を利用することができる。
【００３７】
音楽サーバ１５は、ユーザ端末１２からの要求に基づいて音楽データを提供するものである。具体的には、音楽サーバ１５は、１つの楽曲の音楽データである楽曲データ（実コンテンツ）と、該楽曲データの一部を取り出した音楽データである試聴データ（見本コンテンツ）とを、ユーザ端末１２からの要求に基づいて提供するものである。楽曲データおよび試聴データは、ユーザ端末１２で再生可能なデータ形式である。このようなデータ形式の例としては、ＭＰ３（MPEG-1 Audio Layer-III）、ＷＭＡ（Windows(登録商標） Media Audio）などが挙げられる。
【００３８】
本実施形態では、リスト元端末１１が、楽曲データを識別する曲名（コンテンツ識別情報）のリストと、音楽サーバ１５のアドレスとを含むリスト情報を作成し、作成したリスト情報をユーザ端末１２に無線送信する。ユーザ端末１２は、リスト元端末１１からリスト情報を取得すると、取得したリスト情報に含まれるアドレスが示す音楽サーバ１５に対し、上記リスト情報に含まれるリストの曲名に対応する試聴データを、基地局１３および通信ネットワーク１４を介して要求して取得する。これにより、ユーザが指示すること無く、試聴データを音楽サーバ１５から自動的に取得できるので、試聴データを簡便に取得できる。その結果、ユーザの利便性が向上する。
【００３９】
次に、各構成の詳細について説明する。図３は、リスト元端末１１およびユーザ端末１２の概略構成を示している。図示のように、リスト元端末１１およびユーザ端末１２は同様の機能ブロックを備えている。具体的には、リスト元端末１１は、制御部２０、記憶部２１、通信部２２、操作部２３、表示部２４、および音声出力部２５を備える構成である。また、ユーザ端末１２は、制御部３０、記憶部３１、通信部３２、操作部３３、表示部３４、および音声出力部３５を備える構成である。
【００４０】
制御部２０・３０は、それぞれ、リスト元端末１１およびユーザ端末１２の各種構成の動作を統括的に制御するものである。この制御部２０・３０は、例えばＰＣベースのコンピュータによって構成される。そして、各種構成の動作制御は、制御プログラムを上記コンピュータに実行させることによって行われる。
【００４１】
このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部２０・３０がインターネットなどの通信ネットワークに接続された構成とする場合、この通信ネットワークを介して上記プログラムをダウンロードしてハードディスクなどにインストールして実行する形態なども考えられる。なお、制御部２０・３０の詳細については後述する。
【００４２】
記憶部２１・３１は、ＲＯＭ（Read Only Memory）、ＲＡＭ（Random Access Memory）、ハードディスクなどの記憶装置を備える。記憶部２１・３１に記憶される内容としては、制御部２０・３０における各種構成の制御動作を行うための制御プログラム、ＯＳ（Operating System）プログラム、その他各種プログラムおよび各種データが挙げられる。なお、記憶部２１・３１の詳細については後述する。
【００４３】
通信部２２・３２は、外部の通信装置と通信を行うためのものである。通信部２２・３２は、制御部２０・３０からそれぞれ受信した各種データを、データ通信に適した形式に変換した後、上記外部の通信装置に送信する。また、通信部２２・３２は、上記外部の通信装置から受信した各種データを装置内部のデータ形式に変換した後、制御部２０・３０にそれぞれ送信する。
【００４４】
操作部２３・３３は、ユーザの操作によりユーザから各種の入力を受け付けるものであり、入力用ボタン、タッチパネル、その他の入力デバイスによって構成されている。操作部２３・３３は、ユーザが操作した情報を操作データに変換して制御部２０・３０にそれぞれ送信する。なお、入力デバイスの他の例としては、キーボードと、テンキーと、マウスなどのポインティングデバイスとが挙げられる。
【００４５】
表示部２４・３４は、それぞれ、制御部２０・３０からの画像データに基づいて、文字、画像などの各種情報を表示出力するものである。表示部２４・３４は、例えばＬＣＤ（Liquid Crystal Display）、ＰＤＰ（Plasma Display Panel）、ＣＲＴ（Cathode Ray Tube）などの表示デバイスによって構成される。
【００４６】
音声出力部２５・３５は、それぞれ、制御部２０・３０からの音声データに基づいて、各種情報を音声出力するものである。音声出力部２５・３５は、Ｄ／Ａ（Digital-to-Analog）変換器、音声出力デバイスなどによって構成される。該音声出力デバイスの例としては、スピーカ、イヤホン、ヘッドホンなどが挙げられる。
【００４７】
次に、リスト元端末１１の制御部２０および記憶部２１の詳細について説明する。図４は、リスト元端末１１の制御部２０および記憶部２１の概略構成を示している。図示のように、制御部２０は、リスト作成部（リスト取得手段、リスト作成手段）４０、端末検知部４１、およびリスト送出部（リスト送出手段）４２を備える構成である。また、記憶部２１は、リスト情報記憶部５０および自端末ＩＤ記憶部５１を備える構成である。
【００４８】
リスト情報記憶部５０は、上述のリスト情報ＬＩを記憶するものである。図５は、リスト情報記憶部５０に記憶されるリスト情報ＬＩの一例を示している。図示のように、リスト情報記憶部５０には、１または複数のリスト情報ＬＩを記憶しており、リスト情報ＬＩは、リスト名、配信元アドレス、および楽曲リストを含む構成である。なお、リスト情報ＬＩは、リスト作成者の名前等、楽曲リストに関連する任意の情報を含むこともできる。
【００４９】
リスト名はリスト情報ＬＩの識別情報であり、配信元アドレスは、楽曲の配信元である音楽サーバ１５のアドレスである。楽曲リストは、図示のように、楽曲の曲名と、作曲者、作詞者、歌手、その他の関連情報とを、楽曲の順番を示す曲番に対応付けたものである。
【００５０】
なお、配信元アドレスには、通信ネットワーク１４上で音楽サーバ１５の所在を示す任意のアドレス情報を利用できる。例えば、通信ネットワーク１４がインターネットである場合、配信元アドレスの例としては、ＵＲＬ（Uniform Resource Locators）、ＩＰ（Internet Protocol）アドレスなどが挙げられる。また、楽曲によって配信元が異なる場合、楽曲リストの曲名ごとに配信元アドレスを含めばよい。
【００５１】
自端末ＩＤ記憶部５１は、自端末を識別する端末ＩＤを記憶するものである。上記端末ＩＤの例としては、装置固有の識別情報、ネットワークアドレスなどが挙げられる。
【００５２】
リスト作成部４０は、リスト情報ＬＩを作成するものである。具体的には、リスト作成部４０は、まず、表示部２４を介してユーザに指示し、ユーザからの入力を操作部２３を介して取得することにより、上記楽曲リストおよび上記リスト名を作成する。次に、リスト作成部４０は、作成した楽曲リストおよびリスト名に、上記配信元アドレスを追加して、リスト情報ＬＩが完成する。リスト作成部４０は、作成したリスト情報ＬＩをリスト情報記憶部５０に記憶する。
【００５３】
端末検知部４１は、通信部２２を制御して、無線通信可能な通信端末を検知するものである。端末検知部４１は、無線通信可能な通信端末を検知すると、その旨をリスト送出部４２に通知する。
【００５４】
リスト送出部４２は、端末検知部４１からの通知に基づき、リスト情報記憶部５０および自端末ＩＤ記憶部５１からリスト情報ＬＩおよび端末ＩＤをそれぞれ読み出し、通信部２２に送出して、通信部２２から外部に無線送信するものである。なお、リスト送出部４２は、送信先を、検知した通信端末に限定してもよいし、限定しなくてもよい。また、リスト送出部４２は、リスト情報記憶部５０に記憶された全てのリスト情報ＬＩを送出してもよいし、例えば最新のリスト情報ＬＩのみを送出してもよい。
【００５５】
次に、ユーザ端末１２の制御部３０、記憶部３１、および通信部３２の詳細について説明する。図６は、ユーザ端末１２の制御部３０、記憶部３１、および通信部３２の概略構成を示している。
【００５６】
図６に示すように、通信部３２は、リスト元端末１１と通信する端末側通信部３２ａと、基地局１３および通信ネットワーク１４を介して音楽サーバ１５と通信するサーバ側通信部３２ｂとを備える構成である。なお、端末側通信部３２ａおよびサーバ側通信部３２ｂは、同じ通信媒体および同じ通信方式を利用する場合、１つの通信デバイスで構成することができる。
【００５７】
また、制御部３０は、リスト取得部（リスト取得手段）６０、基地局検知部６１、試聴要求部（コンテンツ要求手段）６２、楽曲要求部６３、および再生部６４を備える構成である。また、記憶部３１は、リスト情報記憶部７０、自端末ＩＤ記憶部７１、試聴データ記憶部７２、および楽曲データ記憶部７３を備える構成である。なお、ユーザ端末１２のリスト情報記憶部７０および自端末ＩＤ記憶部７１は、リスト元端末１１のリスト情報記憶部５０および自端末ＩＤ記憶部５１と同様であるので、その説明を省略する。
【００５８】
試聴データ記憶部７２は、音楽サーバ１５から取得した試聴データを、その曲名と対応付けて記憶するものである。また、楽曲データ記憶部７３は、音楽サーバ１５から取得した楽曲データを、その曲名と対応付けて記憶するものである。
【００５９】
リスト取得部６０は、リスト元端末１１から端末側通信部３２ａを介してリスト情報ＬＩを取得するものである。リスト取得部６０は、取得したリスト情報ＬＩをリスト情報記憶部７０に記憶する。
【００６０】
基地局検知部６１は、サーバ側通信部３２ｂを制御して、無線通信可能な基地局１３を検知するものである。基地局検知部６１は、基地局１３を検知すると、その旨を試聴要求部６２に通知する。
【００６１】
試聴要求部６２は、音楽サーバ１５に試聴データを要求して取得するものである。試聴要求部６２は、取得した試聴データを試聴データ記憶部７２に記憶する。
【００６２】
具体的には、試聴要求部６２は、基地局検知部６１からの通知に基づき、リスト情報記憶部７０および自端末ＩＤ記憶部７１からリスト情報ＬＩおよび端末ＩＤをそれぞれ読み出す。次に、試聴要求部６２は、読み出したリスト情報ＬＩおよび端末ＩＤを試聴データの要求としてサーバ側通信部３２ｂに送出し、サーバ側通信部３２ｂから基地局１３および通信ネットワーク１４を介して音楽サーバ１５に送信する。そして、試聴要求部６２は、送信したリスト情報ＬＩに含まれる複数の曲名に対応する複数の試聴データを、音楽サーバ１５から通信ネットワーク１４、基地局１３、およびサーバ側通信部３２ｂを介して一括取得して、試聴データ記憶部７２に記憶する。
【００６３】
なお、試聴要求部６２は、リスト情報記憶部７０に記憶されたリスト情報ＬＩのうち、試聴データが未取得である全てのリスト情報ＬＩを音楽サーバ１５に送信することが望ましい。
【００６４】
楽曲要求部６３は、音楽サーバ１５に楽曲データを要求して取得するものである。楽曲要求部６３は、取得した楽曲データを楽曲データ記憶部７３に記憶する。
【００６５】
具体的には、楽曲要求部６３は、ユーザから操作部３３を介して選択されたリスト情報ＬＩをリスト情報記憶部７０から読み出し、自端末ＩＤ記憶部７１から端末ＩＤを読み出す。次に、楽曲要求部６３は、読み出したリスト情報ＬＩおよび端末ＩＤを楽曲データの要求としてサーバ側通信部３２ｂに送出し、サーバ側通信部３２ｂから基地局１３および通信ネットワーク１４を介して音楽サーバ１５に送信する。そして、楽曲要求部６３は、送信したリスト情報ＬＩに含まれる複数の曲名に対応する複数の楽曲データを、音楽サーバ１５から通信ネットワーク１４、基地局１３、およびサーバ側通信部３２ｂを介して一括取得して、楽曲データ記憶部７３に記憶する。
【００６６】
再生部６４は、試聴データ記憶部７２からの試聴データ、または楽曲データ記憶部７３からの楽曲データを復号して、音声出力部３５を介して音声を再生出力させるものである。具体的には、再生部６４は、ユーザから操作部３３を介して選択されたリスト情報ＬＩに含まれる楽曲リストに基づき、試聴データ記憶部７２または楽曲データ記憶部７３から試聴データまたは楽曲データを読み出し、上記音声データに復号して音声出力部３５に送出する。これにより、楽曲リストに基づいて試聴用の楽曲または実際の楽曲が音声出力部３５から再生される。
【００６７】
ところで、本実施形態では、ユーザ端末１２が音楽サーバ１５から楽曲データを取得するには、ユーザが音楽サーバ１５の提供する音楽配信サービスの会員に登録されている必要がある。そこで、本実施形態では、制御部３０は、上記会員に登録されるための各種処理を行う会員登録部６５を備えている。
【００６８】
具体的には、会員登録部６５は、音楽サーバ１５から通信ネットワーク１４、基地局１３、およびサーバ側通信部３２ｂを介して、上記会員への登録要求を取得すると、表示部３４を介してユーザに指示して、上記登録に必要な各種情報をユーザから操作部３３を介して取得する。次に、会員登録部６５は、取得した情報をサーバ側通信部３２ｂに送出し、サーバ側通信部３２ｂから基地局１３および通信ネットワーク１４を介して音楽サーバ１５に送信する。これにより、音楽サーバ１５にて上記会員への登録が完了して、音楽サーバ１５から楽曲データを取得することが可能となる。
【００６９】
次に、音楽サーバ１５の詳細について説明する。図７は、音楽サーバ１５の概略構成を示している。図示のように、音楽サーバ１５は、制御部８０、記憶部８１、および通信部８２を備える構成である。
【００７０】
制御部８０は、音楽サーバ１５の各種構成の動作を統括的に制御するものである。この制御部８０は、例えばＰＣベースのコンピュータによって構成される。そして、各種構成の動作制御は、制御プログラムを上記コンピュータに実行させることによって行われる。
【００７１】
このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部８０がインターネットなどの通信ネットワークに接続された構成とする場合、この通信ネットワークを介して上記プログラムをダウンロードしてハードディスクなどにインストールして実行する形態なども考えられる。なお、制御部８０の詳細については後述する。
【００７２】
記憶部８１は、ＲＯＭ、ＲＡＭ、ハードディスクなどの記憶装置を備える。記憶部８１に記憶される内容としては、制御部８０における各種構成の制御動作を行うための制御プログラム、ＯＳプログラム、その他各種プログラムおよび各種データが挙げられる。なお、記憶部８１の詳細については後述する。
【００７３】
通信部８２は、通信ネットワーク１４に接続された通信装置と通信を行うためのものである。通信部８２は、制御部８０から受信した各種データを、通信ネットワーク１４上でのデータ通信に適した形式に変換した後、通信ネットワーク１４上に送信する。また、通信部８２は、通信ネットワーク１４上から受信した各種データを装置内部のデータ形式に変換した後、制御部８０に送信する。
【００７４】
次に、音楽サーバ１５の制御部８０および記憶部８１の詳細について説明する。図７に示すように、制御部８０は、試聴要求取得部（リスト取得手段）９０、試聴データ送出部（見本取得手段、見本送出手段）９１、楽曲要求取得部９２、会員判断部９３、会員登録部９４、および楽曲データ送出部９５を備える構成である。また、記憶部８１は、試聴データ記憶部１００、楽曲データ記憶部１０１、会員情報記憶部１０２、および登録用情報記憶部１０３を備える構成である。
【００７５】
試聴データ記憶部１００は、音楽サーバ１５が提供可能な楽曲の試聴データを、該楽曲の曲名と対応付けて記憶するものである。また、楽曲データ記憶部１０１は、音楽サーバ１５が提供可能な楽曲の楽曲データを、該楽曲の曲名と対応付けて記憶するものである。
【００７６】
会員情報記憶部１０２は、音楽サーバ１５が提供する音楽配信サービスの会員に関する各種情報である会員情報を記憶するものである。この会員情報の例としては、会員の識別情報、パスワード、などが挙げられる。
【００７７】
登録用情報記憶部１０３は、上記会員の登録を行う場合に必要な各種情報である登録用情報を記憶するものである。この登録用情報の例としては、登録のための入力フォームを記述するＨＴＭＬ（Hypertext Markup Language）データなどが挙げられる。
【００７８】
試聴要求取得部９０は、ユーザ端末１２からの試聴データの要求を、基地局１３、通信ネットワーク１４、および通信部８２を介して取得するものである。試聴要求取得部９０は、取得した要求を試聴データ送出部９１に送信する。
【００７９】
試聴データ送出部９１は、試聴要求取得部９０から受信した要求に対応する試聴データを、試聴データ記憶部１００から読み出して通信部８２に送出し、通信部８２から通信ネットワーク１４および基地局１３を介してユーザ端末１２に送信するものである。具体的には、試聴データ送出部９１は、上記要求におけるリスト情報ＬＩに含まれる複数の曲名に対応する複数の試聴データを、試聴データ記憶部１００から読み出して通信部８２に一括送出し、通信部８２から通信ネットワーク１４および基地局１３を介してユーザ端末１２に一括送信している。
【００８０】
楽曲要求取得部９２は、ユーザ端末１２からの楽曲データの要求を、基地局１３、通信ネットワーク１４、および通信部８２を介して取得するものである。楽曲要求取得部９２は、取得した要求を会員判断部９３に送信する。
【００８１】
会員判断部９３は、会員情報記憶部１０２に記憶された会員情報を参照して、楽曲要求取得部９２から受信した要求に含まれる端末ＩＤが会員の端末ＩＤであるか否かを判断する。会員の端末ＩＤではないと判断した場合、会員判断部９３は、上記要求を会員登録部９４に送信する。一方、会員の端末ＩＤであると判断した場合、会員判断部９３は、上記要求を楽曲データ送出部９５に送信する。
【００８２】
会員登録部９４は、上記会員に登録するための各種処理を行うものである。具体的には、会員登録部９４は、会員判断部９３から上記要求を受信すると、登録用情報記憶部１０３から登録用情報を読み出し、これを上記会員への登録要求として通信部８２に送出し、通信部８２から通信ネットワーク１４および基地局１３を介してユーザ端末１２に送信する。これにより、会員登録部９４は、ユーザ端末１２から基地局１３および通信ネットワーク１４を介して、上記登録に必要な各種情報を取得する。次に、会員登録部９４は、取得した上記登録に必要な各種情報を会員情報として会員情報記憶部１０２に記憶して、上記要求を楽曲データ送出部９５に送信する。
【００８３】
楽曲データ送出部９５は、会員判断部９３または会員登録部９４から受信した要求に対応する楽曲データを、楽曲データ記憶部１０１から読み出して通信部８２に送出し、通信部８２から通信ネットワーク１４および基地局１３を介してユーザ端末１２に送信するものである。具体的には、楽曲データ送出部９５は、上記要求におけるリスト情報ＬＩに含まれる複数の曲名に対応する複数の楽曲データを、楽曲データ記憶部１０１から読み出して通信部８２に一括送出し、通信部８２から通信ネットワーク１４および基地局１３を介してユーザ端末１２に一括送信している。
【００８４】
次に、上記構成の音楽配信システム１０における処理動作について、図１・図８〜図１０を参照して説明する。なお、以下では、リスト元端末１１、ユーザ端末１２、および音楽サーバ１５間のデータ通信において、データを中継する通信部２２・３２・８２、基地局１３および通信ネットワーク１４の説明を省略する。
【００８５】
図１は、音楽配信システム１０における処理動作のうち、試聴データに関する処理動作を示している。また、図９は、リスト元端末１１の表示部２４に表示される画面の一例を示しており、図１０は、ユーザ端末１２の表示部３４に表示される画面の一例を示している。
【００８６】
図１に示すように、まず、リスト元端末１１において、リスト作成部４０がリスト情報ＬＩを予め作成して、リスト情報記憶部５０に記憶する（ステップＳ１０（以下、「Ｓ１０」と略称することがある。他のステップについても同様である。））。
【００８７】
次に、制御部２０は、送信すべきリスト情報ＬＩである送信リストをユーザが選択するための選択画面を表示部２４に表示させ、ユーザからの選択指示を操作部２３を介して取得する。図９の（ａ）は、上記選択画面の一例を示している。図示の例では、リスト情報記憶部５０に記憶されている全てのリスト情報ＬＩのリスト名を表示して、ユーザに送信リストの選択を促している。
【００８８】
次に、端末検知部４１がユーザ端末１２を検知すると、検知したユーザ端末１２にリスト送出部４２が上記送信リストのリスト情報ＬＩを送信する（Ｓ１１）。そして、リスト送出部４２は、上記送信リストの送信が完了した旨を示す送信完了画面を表示部２４に表示させる。図９の（ｂ）は、上記送信完了画面の一例を示している。その後、リスト元端末１１の処理動作が終了する。
【００８９】
一方、ユーザ端末１２では、リスト取得部６０は、リスト元端末１１からリスト情報ＬＩを受信すると、受信したリスト情報をリスト情報記憶部７０に記憶する（Ｓ２０）。次に、基地局検知部６１が基地局１３を検知すると、試聴要求部６２は、リスト情報記憶部７０からのリスト情報ＬＩと、自端末ＩＤ記憶部７１からの端末ＩＤとを試聴データの要求として音楽サーバ１５に自動送信する（Ｓ２１）。
【００９０】
一方、音楽サーバ１５では、試聴要求取得部９０は、ユーザ端末１２からリスト情報ＬＩおよび端末ＩＤを受信すると（Ｓ３０）、両者を対応付けて記憶部８１に記憶する（Ｓ３１）。次に、試聴データ送出部９１は、リスト情報ＬＩの楽曲リストに含まれる曲名に対応する試聴データを、試聴データ記憶部１００から検索し（Ｓ３２）、検索された試聴データをユーザ端末１２に一括送信する（Ｓ３３）。その後、音楽サーバ１５の処理動作が終了する。
【００９１】
一方、ユーザ端末１２では、試聴要求部６２は、音楽サーバ１５から試聴データを受信すると、受信した試聴データを試聴データ記憶部７２に記憶する（Ｓ２２）。そして、試聴要求部６２は、リスト情報ＬＩと、該リスト情報ＬＩの楽曲リストに含まれる曲名に対応する試聴データとを受信した旨を示す受信完了画面を表示部３４に表示させる。図１０の（ａ）は、上記受信完了画面の一例を示している。
【００９２】
次に、ユーザから操作部３３を介して再生指示を取得すると、再生部６４は、再生すべき試聴データをユーザが選択するための選択画面を表示部３４にて表示させ、ユーザからの選択指示を操作部３３を介して取得する。
【００９３】
図１０の（ｂ）および（ｃ）は、上記選択画面の一例を示している。同図の（ｂ）は、リスト情報ＬＩ単位で試聴データを選択する例を示しており、同図の（ｃ）は、選択されたリスト情報ＬＩに含まれる曲名単位で試聴データを選択する例を示している。同図の（ｂ）および（ｃ）に示すように、「再生」欄のボックスにユーザがチェックを記入するように操作部３３を指示することにより、リスト情報ＬＩまたは試聴データが選択されることになる。なお、同図の（ｂ）に示すように、新たに取得したリスト情報ＬＩには「新着」のマークが追加されている。
【００９４】
そして、再生部６４は、ユーザが選択した試聴データを、試聴データ記憶部７２から読み出して、音声出力部３５を介して再生出力する（Ｓ２３）。その後、ユーザ端末１２の処理動作が終了する。
【００９５】
図８は、音楽配信システム１０における処理動作のうち、楽曲データに関する処理動作を示している。図示のように、まず、ユーザ端末１２において、楽曲要求部６３が、ユーザから操作部３３を介して楽曲データの要求を取得するまで待機する（Ｓ４０）。
【００９６】
図１０の（ｂ）および（ｃ）の例では、「ＤＬ（ダウンロード）」欄のボックスにユーザがチェックを記入するように操作部３３を指示することにより、チェックされたリスト情報ＬＩに含まれる全ての曲名に対応する楽曲データ、またはチェックされた曲名に対応する楽曲データの要求が取得されることになる。なお、同図の（ｂ）および（ｃ）において、リスト情報ＬＩまたは曲名に関する楽曲データが取得済みである場合、該当する「ＤＬ」欄のボックスにスラッシュ記号が記入されて、ユーザが選択できないようになっている。これにより、楽曲データを再取得してしまうことを防止できる。
【００９７】
楽曲データの要求を取得すると、楽曲要求部６３は、ユーザが選択したリスト情報ＬＩまたは曲名と端末ＩＤとを含む楽曲データの要求を音楽サーバ１５に送信する（Ｓ４１）。
【００９８】
一方、音楽サーバ１５では、楽曲要求取得部９２がユーザ端末１２から楽曲データの要求を受信すると（Ｓ５０）、会員判断部９３は、上記楽曲データの要求に含まれる端末ＩＤを、会員情報記憶部１０２に記憶された端末ＩＤと照合して、要求元のユーザ端末１２が会員であるか否かを判断する（Ｓ５１）。会員ではない場合にはステップＳ５２に進み、会員である場合にはステップＳ５４に進む。
【００９９】
ステップＳ５２では、会員登録部９４は、登録用情報記憶部１０３から入会用ウェブページ（登録用情報）を読み出して、要求元のユーザ端末１２に送信する。
【０１００】
一方、ユーザ端末１２では、会員登録部６５は、音楽サーバ１５から入会用ウェブページを受信すると（Ｓ４２）、会員登録手続を行う（Ｓ４３）。具体的には、会員登録部６５は、受信した入会用ウェブページを表示部３４に表示させ、会員登録に必要な各種情報である登録内容情報をユーザから操作部３３を介して取得する。次に、会員登録部６５は、取得した登録内容情報を音楽サーバ１５に送信する（Ｓ４４）。
【０１０１】
一方、音楽サーバ１５では、会員登録部９４は、ユーザ端末１２から登録内容情報を受信すると、受信した登録内容情報を確認し、問題が無ければ、会員情報として会員情報記憶部１０２に記憶する（Ｓ５３）。
【０１０２】
ステップＳ５４では、楽曲データ送出部９５は、楽曲データの要求に含まれるリスト情報ＬＩに対応する楽曲データを、楽曲データ記憶部１０１に記憶された楽曲データから検索する。そして、楽曲データ送出部９５は、検索した楽曲データをユーザ端末１２に一括送信する（Ｓ５５）。その後、音楽サーバ１５の処理動作が終了する。
【０１０３】
一方、ユーザ端末１２では、楽曲要求部６３は、音楽サーバ１５から楽曲データを受信すると、受信した楽曲データを楽曲データ記憶部７３に記憶する（Ｓ４５）。次に、ユーザから操作部３３を介して再生指示を取得すると、再生部６４は、再生すべき楽曲データをユーザが選択するための選択画面を表示部３４にて表示させ、ユーザからの選択指示を操作部３３を介して取得する。
【０１０４】
なお、楽曲データの選択画面は、上述の試聴データの選択画面と共通であってもよい。図１０の（ｂ）および（ｃ）の例では、「ＤＬ」欄のボックスにスラッシュ記号を有するリスト情報ＬＩまたは曲名は、楽曲データが再生されることになり、「ＤＬ」欄のボックスにスラッシュ記号の無いリスト情報ＬＩまたは曲名は、試聴データが再生されることになる。
【０１０５】
そして、再生部６４は、ユーザが選択した楽曲データを、楽曲データ記憶部７３から読み出して、音声出力部３５を介して再生出力する（Ｓ４６）。その後、ユーザ端末１２の処理動作が終了する。
【０１０６】
なお、リスト元端末１１およびユーザ端末１２の両方の機能を有する複数の通信端末を利用してもよい。図１１は、上記通信端末において表示される選択画面の一例を示している。この選択画面では、「音楽再生」、「すれ違い送信」、および「すれ違い受信」の何れかをユーザが選択することができる。
【０１０７】
ユーザが「音楽再生」を選択した場合、上記通信端末はユーザ端末１２として機能することになり、続いて図１０の（ｂ）に示す選択画面が表示されることになる。また、ユーザが「すれ違い送信」を選択した場合、上記通信端末はリスト元端末１１として機能することになり、続いて図９の（ａ）に示す選択画面が表示されることになる。また、ユーザが「すれ違い受信」を選択した場合、上記通信端末はユーザ端末１２として機能することになり、リスト情報ＬＩを取得していると、図１０の（ａ）に示す通知画面が表示されることになる。
【０１０８】
〔実施の形態２〕
次に、本発明の別の実施形態について、図１２および図１３を参照して説明する。本実施形態の音楽配信システム１０は、図１〜図１１に示す音楽配信システム１０に比べて、リスト元端末１１が、作成したリスト情報ＬＩに基づいて音楽サーバ１５から試聴データを受信し、上記リスト情報ＬＩと上記試聴データとをユーザ端末１２に送信する点が異なる。
【０１０９】
具体的には、本実施形態の音楽配信システム１０は、図２に示す音楽配信システム１０に比べて、リスト元端末１１が基地局１３と通信可能に接続する点が異なり、その他の構成は同様である。これにより、リスト元端末１１は、基地局１３および通信ネットワーク１４を介して音楽サーバ１５と通信することができる。
【０１１０】
また、本実施形態のユーザ端末１２は、図６に示すユーザ端末１２に比べて、基地局検知部６１および試聴要求部６２が省略される点と、リスト取得部６０が、リスト元端末１１から端末側通信部３２ａを介して試聴データをさらに取得して、試聴データ記憶部７２に記憶する点とが異なり、その他の構成は同様である。なお、上記実施形態で説明した構成と同様の機能を有する構成には同一の符号を付して、その説明を省略する。
【０１１１】
図１２は、本実施形態のリスト元端末１１の概略構成を示している。本実施形態のリスト元端末１１は、図４に示すリスト元端末１１に比べて、通信部２２が、ユーザ端末１２と通信する端末側通信部２２ａと、基地局１３および通信ネットワーク１４を介して音楽サーバ１５と通信するサーバ側通信部２２ｂとを備える点と、記憶部２１に試聴データ記憶部５３が新たに設けられる点と、制御部２０に基地局検知部４４および試聴要求部（コンテンツ要求手段）４５が新たに設けられる点と、制御部２０のリスト送出部４２に代えてリスト送出部（リスト送出手段）４６が設けられている点とが異なり、その他の構成は同様である。
【０１１２】
試聴データ記憶部５３、基地局検知部４４、および試聴要求部４５は、図６に示すユーザ端末１２の試聴データ記憶部７２、基地局検知部６１および試聴要求部６２と同様である。
【０１１３】
すなわち、試聴データ記憶部５３は、音楽サーバ１５から取得した試聴データを、その曲名と対応付けて記憶するものである。また、基地局検知部４４は、サーバ側通信部２２ｂを制御して、無線通信可能な基地局１３を検知するものである。基地局検知部４４は、基地局１３を検知すると、その旨を試聴要求部４５に通知する。
【０１１４】
試聴要求部４５は、基地局検知部４４からの通知に基づき、リスト情報記憶部５０および自端末ＩＤ記憶部５１からリスト情報ＬＩおよび端末ＩＤをそれぞれ読み出す。次に、試聴要求部４５は、読み出したリスト情報ＬＩおよび端末ＩＤを試聴データの要求としてサーバ側通信部２２ｂに送出し、サーバ側通信部２２ｂから基地局１３および通信ネットワーク１４を介して音楽サーバ１５に送信する。そして、試聴要求部４５は、送信したリスト情報ＬＩに含まれる複数の曲名に対応する複数の試聴データを、音楽サーバ１５から通信ネットワーク１４、基地局１３、およびサーバ側通信部２２ｂを介して一括取得して、試聴データ記憶部５３に記憶する。
【０１１５】
リスト送出部４６は、端末検知部４１からの通知に基づき、リスト情報記憶部５０、自端末ＩＤ記憶部５１、および試聴データ記憶部５３からリスト情報ＬＩ、端末ＩＤ、および試聴データをそれぞれ読み出し、端末側通信部２２ａに送出して、端末側通信部２２ａから外部に無線送信するものである。
【０１１６】
図１３は、上記構成の音楽配信システム１０における処理動作のうち、試聴データに関する処理動作を示している。なお、楽曲データに関する処理動作は、図８に示す処理動作と同様であるので、その説明を省略する。また、上記実施形態で説明した処理動作と同様の処理動作には同一の符号を付している。
【０１１７】
図１３に示すように、まず、リスト元端末１１において、リスト作成部４０がリスト情報ＬＩを予め作成して、リスト情報記憶部５０に記憶する（Ｓ１０）。次に、基地局検知部４４が基地局１３を検知すると、試聴要求部４５は、リスト情報記憶部５０からのリスト情報ＬＩと、自端末ＩＤ記憶部５１からの端末ＩＤとを試聴データの要求として音楽サーバ１５に自動送信する（Ｓ６０）。
【０１１８】
一方、音楽サーバ１５では、試聴要求取得部９０は、リスト元端末１１からリスト情報ＬＩおよび端末ＩＤを受信すると（Ｓ３０）、両者を対応付けて記憶部８１に記憶する（Ｓ３１）。次に、試聴データ送出部９１は、リスト情報ＬＩの楽曲リストに含まれる曲名に対応する試聴データを、試聴データ記憶部１００から検索し（Ｓ３２）、検索された試聴データをリスト元端末１１に一括送信する（Ｓ３３）。その後、音楽サーバ１５の処理動作が終了する。
【０１１９】
一方、リスト元端末１１では、試聴要求部４５は、音楽サーバ１５から試聴データを受信すると、受信した試聴データを試聴データ記憶部５３に記憶する（Ｓ６１）。次に、端末検知部４１がユーザ端末１２を検知すると、検知したユーザ端末１２にリスト送出部４２がリスト情報ＬＩおよび試聴データを送信する（Ｓ６２）。その後、リスト元端末１１の処理動作が終了する。
【０１２０】
一方、ユーザ端末１２では、リスト取得部６０は、リスト元端末１１からリスト情報ＬＩおよび試聴データを受信すると、受信したリスト情報ＬＩおよび試聴データをリスト情報記憶部７０および試聴データ記憶部７２にそれぞれ記憶する（Ｓ６３）。そして、再生部６４は、ユーザが選択した試聴データを、試聴データ記憶部７２から読み出して、音声出力部３５を介して再生出力する（Ｓ２３）。その後、ユーザ端末１２の処理動作が終了する。
【０１２１】
従って、本実施形態の音楽配信システム１０では、ユーザ端末１２は、リスト元端末１１からリスト情報ＬＩと共に試聴データを受信できるので、試聴データが直ちに利用可能となり、ユーザの利便性が向上する。
【０１２２】
〔実施の形態３〕
次に、本発明のさらに別の実施形態について、図１４および図１５を参照して説明する。本実施形態の音楽配信システム１０は、図１〜図１１に示す音楽配信システム１０に比べて、リスト元端末１１が、作成したリスト情報ＬＩを基地局（通信装置）１３に送信し、基地局１３が、受信したリスト情報ＬＩに基づいて、音楽サーバ１５から試聴データを受信し、上記リスト情報ＬＩと上記試聴データとをユーザ端末１２に送信する点が異なる。
【０１２３】
具体的には、本実施形態の音楽配信システム１０は、図２に示す音楽配信システム１０に比べて、リスト元端末１１が基地局１３と通信可能に接続する点が異なり、その他の構成は同様である。これにより、リスト元端末１１は、基地局１３と通信することができる。
【０１２４】
また、本実施形態のリスト元端末１１は、図４に示すリスト元端末１１に比べて、端末検知部４１に代えて、図１２に示す基地局検知部４４が設けられており、リスト送出部４２がリスト情報ＬＩおよび端末ＩＤを、ユーザ端末１２の代わりに基地局１３に送信している点が異なり、その他の構成は同様である。
【０１２５】
また、本実施形態のユーザ端末１２は、図６に示すユーザ端末１２に比べて、端末側通信部３２ａ、基地局検知部６１、および試聴要求部６２が省略される点と、リスト取得部６０が、基地局１３からサーバ側通信部３２ｂを介してリスト情報ＬＩおよび試聴データを取得して、リスト情報記憶部７０および試聴データ記憶部７２にそれぞれ記憶する点とが異なり、その他の構成は同様である。なお、上記実施形態で説明した構成と同様の機能を有する構成には同一の符号を付して、その説明を省略する。
【０１２６】
図１４は、本実施形態の基地局１３の概略構成を示している。図示のように、基地局１３は、制御部１１０、記憶部１１１、および通信部１１２を備える構成である。
【０１２７】
制御部１１０は、基地局１３の各種構成の動作を統括的に制御するものである。この制御部１１０は、例えばＰＣベースのコンピュータによって構成される。そして、各種構成の動作制御は、制御プログラムを上記コンピュータに実行させることによって行われる。
【０１２８】
このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部１１０がインターネットなどの通信ネットワークに接続された構成とする場合、この通信ネットワークを介して上記プログラムをダウンロードしてハードディスクなどにインストールして実行する形態なども考えられる。なお、制御部１１０の詳細については後述する。
【０１２９】
記憶部１１１は、ＲＯＭ、ＲＡＭ、ハードディスクなどの記憶装置を備える。記憶部１１１に記憶される内容としては、制御部１１０における各種構成の制御動作を行うための制御プログラム、ＯＳプログラム、その他各種プログラムおよび各種データが挙げられる。なお、記憶部１１１の詳細については後述する。
【０１３０】
通信部１１２は、通信装置と通信を行うためのものである。通信部１１２は、制御部１１０から受信した各種データを、データ通信に適した形式に変換した後、外部に送信する。また、通信部１１２は、外部から受信した各種データを装置内部のデータ形式に変換した後、制御部１１０に送信する。本実施形態では、通信部１１２は、リスト元端末１１およびユーザ端末１２と通信する端末側通信部１１２ａと、通信ネットワーク１４を介して音楽サーバ１５と通信するサーバ側通信部１１２ｂとを備える構成である。
【０１３１】
次に、基地局１３の制御部１１０および記憶部１１１の詳細について説明する。図１４に示すように、制御部１１０は、リスト取得部（リスト取得手段、属性取得手段）１２０、試聴要求部（コンテンツ要求手段、属性取得手段）１２１、端末検知部１２２、およびリスト送出部（リスト送出手段、属性送出手段、要求応答手段）１２３を備える構成である。また、記憶部１１１は、リスト情報記憶部１３０、端末情報記憶部１３１、試聴データ記憶部１３２を備える構成である。
【０１３２】
リスト情報記憶部１３０は、上述のリスト情報ＬＩを記憶するものである。また、端末情報記憶部１３１は、リスト元端末１１の端末ＩＤなど、リスト元端末１１に関する情報を記憶するものである。また、試聴データ記憶部１３２は、音楽サーバ１５から取得した試聴データを、その曲名と対応付けて記憶するものである。
【０１３３】
リスト取得部１２０は、リスト元端末１１から端末側通信部１１２ａを介してリスト情報ＬＩおよび端末ＩＤを取得するものである。リスト取得部６０は、取得したリスト情報ＬＩおよび端末ＩＤを、試聴要求部１２１に送信すると共に、リスト情報記憶部１３０および端末情報記憶部１３１にそれぞれ記憶する。
【０１３４】
試聴要求部１２１は、リスト取得部１２０からリスト情報ＬＩおよび端末ＩＤを受信すると、受信したリスト情報ＬＩおよび端末ＩＤを試聴データの要求としてサーバ側通信部１１２ｂに送出し、サーバ側通信部１１２ｂから通信ネットワーク１４を介して音楽サーバ１５に送信する。そして、試聴要求部１２１は、送信したリスト情報ＬＩに含まれる複数の曲名に対応する複数の試聴データを、音楽サーバ１５から通信ネットワーク１４およびサーバ側通信部１１２ｂを介して一括取得して、試聴データ記憶部１３２に記憶する。
【０１３５】
端末検知部１２２は、端末側通信部１１２ａを制御して、無線通信可能な通信端末、特にユーザ端末１２を検知するものである。端末検知部１２２は、無線通信可能な通信端末を検知すると、その旨をリスト送出部１２３に通知する。
【０１３６】
リスト送出部１２３は、端末検知部１２２からの通知に基づき、リスト情報記憶部１３０、端末情報記憶部１３１、および試聴データ記憶部１３２からリスト情報ＬＩ、端末ＩＤ、および試聴データをそれぞれ読み出し、端末側通信部１１２ａに送出して、端末側通信部１１２ａから外部に無線送信するものである。
【０１３７】
図１５は、上記構成の音楽配信システム１０における処理動作のうち、試聴データに関する処理動作を示している。なお、楽曲データに関する処理動作は、図８に示す処理動作と同様であるので、その説明を省略する。また、上記実施形態で説明した処理動作と同様の処理動作には同一の符号を付している。
【０１３８】
図１５に示すように、まず、リスト元端末１１において、リスト作成部４０がリスト情報ＬＩを予め作成して、リスト情報記憶部５０に記憶する（Ｓ１０）。次に、基地局検知部４４が基地局１３を検知すると、リスト送出部４２は、リスト情報記憶部５０からのリスト情報ＬＩと、自端末ＩＤ記憶部５１からの端末ＩＤとを基地局１３に自動送信する（Ｓ７０）。その後、リスト元端末１１の処理動作が終了する。
【０１３９】
一方、基地局１３では、リスト取得部１２０がリスト元端末１１からリスト情報ＬＩおよび端末ＩＤを取得すると（Ｓ７１）、試聴要求部１２１は、上記リスト情報ＬＩおよび端末ＩＤを試聴データの要求として音楽サーバ１５に自動送信する（Ｓ７２）。
【０１４０】
一方、音楽サーバ１５では、試聴要求取得部９０は、基地局１３からリスト情報ＬＩおよび端末ＩＤを受信すると（Ｓ３０）、両者を対応付けて記憶部８１に記憶する（Ｓ３１）。次に、試聴データ送出部９１は、リスト情報ＬＩの楽曲リストに含まれる曲名に対応する試聴データを、試聴データ記憶部１００から検索し（Ｓ３２）、検索された試聴データを基地局１３に一括送信する（Ｓ３３）。その後、音楽サーバ１５の処理動作が終了する。
【０１４１】
一方、基地局１３では、試聴要求部１２１は、音楽サーバ１５から試聴データを受信すると、受信した試聴データを試聴データ記憶部１３２に記憶する（Ｓ７３）。次に、端末検知部１２２がユーザ端末１２を検知すると、検知したユーザ端末１２にリスト送出部１２３がリスト情報ＬＩおよび試聴データを送信する（Ｓ７４）。その後、基地局１３の処理動作が終了する。
【０１４２】
一方、ユーザ端末１２では、リスト取得部６０は、基地局１３からリスト情報ＬＩおよび試聴データを受信すると、受信したリスト情報ＬＩおよび試聴データをリスト情報記憶部７０および試聴データ記憶部７２にそれぞれ記憶する（Ｓ７５）。そして、再生部６４は、ユーザが選択した試聴データを、試聴データ記憶部７２から読み出して、音声出力部３５を介して再生出力する（Ｓ２３）。その後、ユーザ端末１２の処理動作が終了する。
【０１４３】
従って、本実施形態の音楽配信システム１０では、基地局１３は、リスト元端末１１から受信したリスト情報ＬＩを、該リスト情報ＬＩに対応する試聴データと共に、ユーザ端末１２に送信することができる。このとき、リスト元端末１１とユーザ端末１２とが通信可能である必要は無い。また、ユーザ端末１２は、基地局１３からリスト情報ＬＩと共に試聴データを受信できるので、試聴データが直ちに利用可能となり、ユーザの利便性が向上する。
【０１４４】
〔実施の形態４〕
次に、本発明のさらに別の実施形態について、図１６を参照して説明する。本実施形態の音楽配信システム１０は、図１〜図１１に示す音楽配信システム１０に比べて、ユーザ端末１２が、リスト元端末１１から、リスト情報ＬＩにおける楽曲リストの属性を示す属性情報を受信し、受信した属性情報に基づいてリスト情報ＬＩを受信するか否かを判断し、受信すると判断した場合にリスト元端末１１にリスト情報ＬＩを要求して受信する点が異なる。なお、以下の実施形態では、上記楽曲リストの属性情報として、例えば楽曲リストにおけるジャズ、Ｊ−ポップス、および演歌の構成比が９０％、５％、および５％であるといった、音楽ジャンルの構成比を利用しているが、これに限定されるものではない。
【０１４５】
具体的には、本実施形態のリスト元端末１１は、図４に示すリスト元端末１１に比べて、以下の２つの点が異なり、その他の構成は同様である。
【０１４６】
すなわち、第１の相違点は、リスト作成部（属性取得手段）４０が、リスト情報ＬＩを作成すると共に、リスト情報ＬＩにおける楽曲リストの内容から各曲の音楽ジャンルを分析し、音楽ジャンルの構成比を算出することにより、属性情報を作成し、作成したリスト情報ＬＩおよび属性情報をリスト情報記憶部５０に記憶する点である。また、第２の相違点は、端末検知部４１がユーザ端末１２を検知すると、リスト送出部（リスト送出手段、属性送出手段、要求応答手段）４２が、まず、属性情報をユーザ端末１２に送信し、上記属性情報に対応するリスト情報ＬＩの要求をユーザ端末１２から受信した場合に、上記リスト情報ＬＩをユーザ端末１２に送信する点である。
【０１４７】
また、本実施形態のユーザ端末１２は、図６に示すユーザ端末１２に比べて、リスト取得部（リスト取得手段、属性取得手段、取得判断手段、リスト要求手段）６０が、リスト元端末１１から属性情報を受信し、受信した属性情報が、ユーザの希望する所定の条件に合致するか否かを判断し、合致する場合に上記属性情報に対応するリスト情報ＬＩをリスト元端末１１に要求して受信する点が異なり、その他の構成は同様である。
【０１４８】
図１６は、上記構成の音楽配信システム１０における試聴データに関する処理動作のうち、図１に示す処理動作と異なる処理動作を示している。なお、音楽サーバ１５における処理動作は、図１に示す処理動作と同様であるので、図１６では省略している。また、楽曲データに関する処理動作は、図８に示す処理動作と同様であるので、その説明を省略する。また、上記実施形態で説明した処理動作と同様の処理動作には同一の符号を付している。
【０１４９】
図１６に示すように、まず、リスト元端末１１において、リスト作成部４０は、リスト情報ＬＩを予め作成して、リスト情報記憶部５０に記憶すると（Ｓ１０）、作成したリスト情報ＬＩにおける楽曲リストの内容から各曲の音楽ジャンルを分析して、属性情報を作成し、作成した属性情報をリスト情報ＬＩに対応付けてリスト情報記憶部５０に記憶する（Ｓ８０）。次に、端末検知部４１がユーザ端末１２を検知すると、リスト送出部４２は、リスト情報記憶部５０から属性情報を読み出してユーザ端末１２に送信する（Ｓ８１）。
【０１５０】
一方、ユーザ端末１２では、リスト取得部６０は、リスト元端末１１から属性情報を受信すると（Ｓ８２）、ユーザの希望する所定の条件を記憶部３１から読み出し、読み出した所定の条件が、上記属性情報と合致するか否かを判断する（Ｓ８３）。合致しない場合には、ユーザ端末１２は、リスト元端末１１からリスト情報ＬＩを受信せず、従って該リスト情報ＬＩに対応する試聴データも受信せずに、処理動作を終了する。一方、合致する場合には、リスト取得部６０は、上記属性情報に対応するリスト情報ＬＩの要求をリスト元端末１１に送信する（Ｓ８４）。
【０１５１】
一方、リスト元端末１１では、リスト送出部４２が、上記リスト情報ＬＩの要求を受信すると（Ｓ８５）、リスト情報記憶部５０から上記リスト情報ＬＩを読み出してユーザ端末１２に送信する（Ｓ８６）。その後、リスト元端末１１の処理動作が終了する。
【０１５２】
一方、ユーザ端末１２では、リスト取得部６０がリスト元端末１１から上記リスト情報ＬＩを受信すると（Ｓ８７）、図１のステップＳ２１以降の動作が行われる。
【０１５３】
従って、本実施形態の音楽配信システム１０では、ユーザ端末１２は、ユーザの希望に適合するリスト情報ＬＩのみを取得することができる。その結果、ユーザが希望しない不要なリスト情報ＬＩを取得せずに済み、該リスト情報ＬＩに対応する試聴データを取得せずに済むので、ユーザ端末１２および音楽サーバ１５における処理負担を軽減することができる。
【０１５４】
なお、本実施形態では、上述のように、上記楽曲リストの属性情報として音楽ジャンルの構成比を利用しているが、音量、演奏速度、声の有無、楽器の数、性別、年齢、制作時期など、楽曲リストに関連する任意の情報を利用することもできる。
【０１５５】
例えば、リスト元端末１１の所有者、すなわち楽曲リストの作成者の年齢情報をリスト元端末１１に記憶しておき、当該年齢情報を属性情報としてもよい。この場合、ユーザ端末１２のユーザの年齢に近い属性情報を有する楽曲リストを取得することにより、ユーザ端末１２は、上記ユーザの音楽の嗜好に合致する楽曲リストを取得できるとは限らないが、上記嗜好に全く適合しない楽曲リストを取得する可能性が低く、従って、適度に上記嗜好の異なる楽曲リストを取得することができる。
【０１５６】
〔実施の形態５〕
次に、本発明の他の実施形態について、図１７を参照して説明する。本実施形態の音楽配信システム１０は、図１２および図１３に示す音楽配信システム１０に比べて、ユーザ端末１２が、リスト元端末１１から、リスト情報ＬＩにおける楽曲リストの属性情報を受信し、受信した属性情報に基づいてリスト情報ＬＩを受信するか否かを判断し、受信すると判断した場合にリスト元端末１１にリスト情報ＬＩを要求して受信する点と、上記属性情報を音楽サーバ１５が作成する点とが異なる。
【０１５７】
具体的には、本実施形態のリスト元端末１１は、図１２に示すリスト元端末１１に比べて、試聴要求部４５が、音楽サーバ１５から試聴データを受信する時に、音楽サーバ１５から上記属性情報を受信してリスト情報記憶部５０に記憶する点と、端末検知部４１がユーザ端末１２を検知すると、リスト送出部４２が、まず、属性情報をユーザ端末１２に送信し、上記属性情報に対応するリスト情報ＬＩの要求をユーザ端末１２から受信した場合に、上記リスト情報ＬＩをユーザ端末１２に送信する点が異なり、その他の構成は同様である。
【０１５８】
また、本実施形態のユーザ端末１２は、図６に示すユーザ端末１２に比べて、リスト取得部６０が、リスト元端末１１から属性情報を受信し、受信した属性情報が、ユーザの希望する所定の条件に合致するか否かを判断し、合致する場合に上記属性情報に対応するリスト情報ＬＩをリスト元端末１１に要求して受信する点が異なり、その他の構成は同様である。
【０１５９】
図１７は、上記構成の音楽配信システム１０における処理動作のうち、試聴データに関する処理動作を示している。なお、楽曲データに関する処理動作は、図８に示す処理動作と同様であるので、その説明を省略する。また、上記実施形態で説明した処理動作と同様の処理動作には同一の符号を付している。
【０１６０】
図１７に示すように、まず、リスト元端末１１において、リスト作成部４０がリスト情報ＬＩを予め作成して、リスト情報記憶部５０に記憶する（Ｓ１０）。次に、基地局検知部４４が基地局１３を検知すると、試聴要求部４５は、リスト情報記憶部５０からのリスト情報ＬＩと、自端末ＩＤ記憶部５１からの端末ＩＤとを試聴データの要求として音楽サーバ１５に自動送信する（Ｓ６０）。
【０１６１】
一方、音楽サーバ１５では、試聴要求取得部９０は、リスト元端末１１からリスト情報ＬＩおよび端末ＩＤを受信すると（Ｓ３０）、両者を対応付けて記憶部８１に記憶する（Ｓ３１）。次に、試聴データ送出部９１は、リスト情報ＬＩの楽曲リストに含まれる曲名に対応する試聴データを、試聴データ記憶部１００から検索する（Ｓ３２）。
【０１６２】
次に、試聴データ送出部９１は、上記楽曲リストの内容から各曲の音楽ジャンルを分析して、属性情報を作成する（Ｓ９０）。このとき、ステップＳ３２にて検索された試聴データの内容から音楽ジャンルを分析してもよい。この場合、各曲の音楽ジャンルを精度よく特定することができる。
【０１６３】
次に、試聴データ送出部（見本取得手段、見本送出手段、リスト属性作成手段）９１は、検索された試聴データと、作成された属性情報とをリスト元端末１１に一括送信する（Ｓ９１）。その後、音楽サーバ１５の処理動作が終了する。
【０１６４】
一方、リスト元端末１１では、試聴要求部４５は、音楽サーバ１５から試聴データおよび属性情報を受信する（Ｓ９２）。試聴要求部４５は、受信した試聴データを試聴データ記憶部５３に記憶する一方、受信した属性情報をリスト情報ＬＩに対応付けてリスト情報記憶部５０に記憶する。次に、端末検知部４１がユーザ端末１２を検知すると、リスト送出部４２は、リスト情報記憶部５０から属性情報を読み出してユーザ端末１２に送信する（Ｓ８１）。
【０１６５】
一方、ユーザ端末１２では、リスト取得部６０は、リスト元端末１１から属性情報を受信すると（Ｓ８２）、ユーザの希望する所定の条件を記憶部３１から読み出し、読み出した所定の条件が、上記属性情報と合致するか否かを判断する（Ｓ８３）。合致しない場合には、ユーザ端末１２は、リスト元端末１１からリスト情報ＬＩを受信せず、従って該リスト情報ＬＩに対応する試聴データも受信せずに、処理動作を終了する。一方、合致する場合には、リスト取得部６０は、上記属性情報に対応するリスト情報ＬＩおよび試聴データの要求をリスト元端末１１に送信する（Ｓ９３）。
【０１６６】
一方、リスト元端末１１では、リスト送出部４２が、上記リスト情報ＬＩおよび試聴データの要求を受信すると（Ｓ９４）、リスト情報記憶部５０および試聴データ記憶部５３から上記リスト情報ＬＩおよび試聴データをそれぞれ読み出してユーザ端末１２に送信する（Ｓ９５）。その後、リスト元端末１１の処理動作が終了する。
【０１６７】
一方、ユーザ端末１２では、リスト取得部６０は、リスト元端末１１からリスト情報ＬＩおよび試聴データを受信すると、受信したリスト情報ＬＩおよび試聴データをリスト情報記憶部７０および試聴データ記憶部７２にそれぞれ記憶する（Ｓ６３）。そして、再生部６４は、ユーザが選択した試聴データを、試聴データ記憶部７２から読み出して、音声出力部３５を介して再生出力する（Ｓ２３）。その後、ユーザ端末１２の処理動作が終了する。
【０１６８】
従って、本実施形態の音楽配信システム１０では、ユーザ端末１２は、ユーザの希望に適合するリスト情報ＬＩおよび試聴データのみを取得することができる。その結果、ユーザが希望しない不要なリスト情報ＬＩおよび試聴データを取得せずに済むので、リスト元端末１１およびユーザ端末１２における処理負担を軽減することができる。
【０１６９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１７０】
例えば、上記実施形態では、曲名により楽曲を識別しているが、楽曲を識別可能な任意の識別情報を利用することができる。
【０１７１】
また、上記実施形態では、試聴データと楽曲データとを同じ音楽サーバ１５が提供しているが、別々のサーバが提供してもよい。この場合、試聴データを提供するサーバのアドレスをリスト情報ＬＩに含み、楽曲データを提供するサーバのアドレスを試聴データに含めればよい。試聴データと楽曲データとを別々のサーバで提供することにより、例えば、通信速度の低いネットワークには試聴データを提供するサーバを設け、通信速度の高いネットワークには楽曲データを提供するサーバを設けるなど、試聴データと楽曲データとの通信状況を考慮したネットワークシステムを構築することができる。
【０１７２】
さらに、異なる音楽サイトの音楽サーバが、異なるセットの試聴データおよび楽曲データを提供してもよい。この場合、上述のように、リスト情報ＬＩにおいて、配信元アドレスを楽曲ごとに含めばよい。また、会員登録は音楽サイトごとに行われることになる。これにより、リスト元端末１１では、複数の音楽サイトから提供された試聴データおよび／または楽曲データを用いて、リスト情報ＬＩを作成することができる。また、リスト情報ＬＩに複数の音楽サイトの配信元アドレスが含まれることにより、１人のユーザに対し、複数の音楽サイトを効率的に告知することができる。
【０１７３】
また、上記実施形態では、本発明を音楽配信システムに適用しているが、例えば映像のような、任意のコンテンツを配信する通信ネットワークシステムに適用することができる。
【０１７４】
最後に、リスト元端末１１、ユーザ端末１２、基地局１３、および音楽サーバ１５の各ブロック、特に制御部２０・３０・８０・１１０は、ハードウェアロジックによって構成してもよいし、次のようにＣＰＵを用いてソフトウェアによって実現してもよい。
【０１７５】
すなわち、リスト元端末１１、ユーザ端末１２、基地局１３、および音楽サーバ１５は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるリスト元端末１１、ユーザ端末１２、基地局１３、および音楽サーバ１５の制御プログラムのプログラムコード（実行形式プログラム、中間コードプログラム、ソースプログラム）をコンピュータで読み取り可能に記録した記録媒体を、上記リスト元端末１１、ユーザ端末１２、基地局１３、および音楽サーバ１５に供給し、そのコンピュータ（またはＣＰＵやＭＰＵ）が記録媒体に記録されているプログラムコードを読み出し実行することによっても、達成可能である。
【０１７６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１７７】
また、リスト元端末１１、ユーザ端末１２、基地局１３、および音楽サーバ１５を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１７８】
以上のように、本発明は、曲名のリストと、試聴データを提供する音楽サーバのアドレスとを含むリスト情報を取得すると、上記アドレスの音楽サーバに対し、上記曲名に対応する試聴データを要求して取得することにより、試聴データを簡便に取得できるので、通信ネットワークを利用してコンテンツを配信する任意のコンテンツ配信サービスに適用することができる。
【符号の説明】
【０１７９】
１０  音楽配信システム
１１  リスト元端末（通信装置）
１２  ユーザ端末（通信装置）
１３  基地局（通信装置）
１４  通信ネットワーク
１５  音楽サーバ（サーバ）
２０・３０・８０・１１０  制御部
２１・３１・８１・１１１  記憶部
２２・３２・８２・１１２  通信部
２３・３３  操作部
２４・３４  表示部
２５・３５  音声出力部
４０  リスト作成部（リスト取得手段、リスト作成手段、属性取得手段）
４１・１２２  端末検知部
４２・４６・１２３  リスト送出部（リスト送出手段、属性送出手段、要求応答手段）
４４・６１  基地局検知部
４５・１２１  試聴要求部（コンテンツ要求手段、属性取得手段）
５０・７０・１３０  リスト情報記憶部
５１・７１  自端末ＩＤ記憶部
５３・７２・１３２  試聴データ記憶部
６０  リスト取得部（リスト取得手段、属性取得手段、取得判断手段、リスト要求手段）
６２  試聴要求部（コンテンツ要求手段）
６３  楽曲要求部
６４  再生部
７３  楽曲データ記憶部
９０  試聴要求取得部（リスト取得手段）
９１  試聴データ送出部（見本取得手段、見本送出手段、リスト属性作成手段）
９２  楽曲要求取得部
９５  楽曲データ送出部
１００  試聴データ記憶部
１０１  楽曲データ記憶部
１２０  リスト取得部（リスト取得手段、属性取得手段）
【図１】
2010165287.tif 000003
【図２】
2010165287.tif 000004
【図３】
2010165287.tif 000005
【図４】
2010165287.tif 000006
【図５】
2010165287.tif 000007
【図６】
2010165287.tif 000008
【図７】
2010165287.tif 000009
【図８】
2010165287.tif 000010
【図９】
2010165287.tif 000011
【図１０】
2010165287.tif 000012
【図１１】
2010165287.tif 000013
【図１２】
2010165287.tif 000014
【図１３】
2010165287.tif 000015
【図１４】
2010165287.tif 000016
【図１５】
2010165287.tif 000017
【図１６】
2010165287.tif 000018
【図１７】
2010165287.tif 000019